(57)【要約】【課題】  音声透かしを利用する放送システムの信頼性を向上させることを目的とする。【解決手段】  音声透かしにより音響信号に識別情報を重畳した放送信号を生成する信号処理装置１と、放送信号をスピーカ線３に出力する放送装置２と、スピーカ線３に接続され、放送信号に基づいて放音する１又は２以上のスピーカユニット４と、スピーカユニット４からの出力音を収音した収音信号から識別情報を抽出し、抽出した識別情報に基づいて表示出力を行う２以上の携帯端末装置５と、スピーカ線３に接続され、放送信号から識別情報を抽出し、抽出した識別情報に基づいて情報提示を行う情報提示装置６とを備える。【選択図】  図１
2020053945.tif 000002
【特許請求の範囲】
【請求項１】
放送内容に関連する情報の識別情報が重畳された放送信号をスピーカ線に出力する放送装置と、
前記スピーカ線に接続され、前記放送信号に基づいて放音する１又は２以上のスピーカユニットと、
前記スピーカ線に接続され、前記放送信号から前記識別情報を抽出し、抽出した識別情報に基づいて、前記スピーカユニットから放音された放送内容に関連する情報の提示を行う情報提示装置とを備えた放送システム。
【請求項２】
前記放送システムは、更に、
前記スピーカユニットからの出力音を収音した収音信号から前記識別情報を抽出し、抽出した前記識別情報に基づいて、放送内容に関連する情報の提示を行う２以上の携帯端末装置を含み、
前記携帯端末装置が、当該端末装置ごとに予め定められた属性情報を有し、前記識別情報を前記属性情報に応じた報知情報に対応づける変換テーブルを備え、当該変換テーブルを用いて、前記識別情報を前記報知情報に変換し、当該報知情報を提示し、
前記情報提示装置が、前記識別情報を予め定められた２以上の報知情報に対応づける変換テーブルを備え、当該変換テーブルを用いて、前記識別情報を前記２以上の報知情報に変換し、当該報知情報を提示することを特徴とする請求項１に記載の放送システム。
【請求項３】
前記放送システムは、更に、
前記スピーカユニットからの出力音を収音した収音信号から前記識別情報を抽出し、抽出した識別情報に基づいて、放送内容に関連する情報の提示を行う２以上の携帯端末装置を含み、
前記携帯端末装置が、前記識別情報を当該端末装置ごとに予め定められた１つの言語に応じた報知情報に対応づける変換テーブルを備え、当該変換テーブルを用いて、前記識別情報を前記報知情報に変換し、当該報知情報を提示し、
前記情報提示装置が、前記識別情報を予め定められた２以上の言語に応じた報知情報に対応づける変換テーブルを備え、当該変換テーブルを用いて、前記識別情報を前記２以上の言語に応じた報知情報に変換し、当該報知情報を提示することを特徴とする請求項１に記載の放送システム。
【請求項４】
２以上の前記情報提示装置を備え、
前記情報提示装置が、前記識別情報を設置場所に応じた報知情報に対応づける変換テーブルを保持し、前記変換テーブルを用いて、前記識別情報を前記報知情報に変換し、当該報知情報を提示することを特徴とする請求項１〜３のいずれかに記載の放送システム。
【請求項５】
前記携帯端末装置が、通信ネットワークを介して前記変換テーブルを取得し、前記携帯端末装置内に予め保持することを特徴とする請求項２〜４のいずれかに記載の放送システム。
【請求項６】
放送内容に関連する情報の識別情報が重畳された放送信号が流れる、複数のスピーカが接続されているスピーカ線に接続する接続手段と、
前記接続により得られる放送信号から前記識別情報を抽出する抽出手段と、
抽出した前記識別情報に基づいて、前記スピーカユニットから放音された放送内容に関連する情報の提示を行う提示手段とを備える情報提示装置。
【発明の詳細な説明】
【技術分野】
【０００１】
本発明は、放送システム及び情報提示装置に係り、さらに詳しくは、スピーカ及び情報提示装置を備えた放送システムの改良、並びに、当該放送システムに用いられる情報提示装置の改良に関する。
【背景技術】
【０００２】
音声透かし（Audio Watermark）は、可聴周波数帯域の音波に対し、知覚できないように情報を埋め込む技術であり、エコーハイディング法、エコー拡散法、スペクトル拡散法、周期的位相変調法などが知られている。
【０００３】
音声透かしを利用して、放送空間内に存在する多数の携帯端末装置に対し、放送音とともに識別情報を伝送する放送システムが従来から知られている（例えば、特許文献１）。特許文献１に記載されたシステムは、音声透かしにより、案内音声に識別情報を合成し、案内情報及び識別情報が、音波として、携帯電話機やスマートフォンなどの端末装置に伝送される。端末装置では、収音信号から識別情報を抽出し、インターネットなどを介して識別情報に関連する情報を取得し、表示する。
【先行技術文献】
【特許文献】
【０００４】
【特許文献１】特開２０１６−７５８９０号公報
【発明の概要】
【発明が解決しようとする課題】
【０００５】
音声透かし放送システムでは、例えば、混雑している公共空間のように雑音の多い環境下において、人は放送音を聞き取ることができるが、端末装置は識別情報を抽出することができないという状況が発生する。一般に、雑音環境下であっても、人は注目している音声成分だけを選択して聴取することができ、このような選択的聴取は、カクテルパーティー効果と呼ばれている。これに対し、端末装置の収音信号から識別情報を抽出する演算処理では、同様の選択処理を行うことができず、雑音環境下では識別情報を抽出することができなくなる。つまり、放送システムとして許容される雑音環境下であっても、音声透かしによる情報伝送には失敗する可能性があり、信頼性に欠けるという問題があった。
【０００６】
例えば、外国人や聴覚障がい者の端末装置に対し、火災、津波などの災害情報を伝送する場合に音声透かしを利用することが考えられる。しかし、災害情報を伝送する状況下では、平常時よりも雑音レベルが増大している可能性が高く、音声透かしによる情報伝送に失敗する可能性が高くなるという問題があった。
【０００７】
そこで、放送空間内にサイネージ装置を設置し、音声透かし放送を行うとともに、表示出力を行うことも考えられる。しかしながら、通信ネットワークを介して、放送装置とサイネージ装置を接続した場合、通信ネットワークに障害が発生すれば、表示を行うことができないという問題がある。例えば、火災発生時の停電により、通信ネットワークが停止すれば、サイネージ装置による表示出力を行うことができない。一般に、非常放送に用いられる放送システムは、スピーカ線に耐火性ケーブルが用いられるなど、高い信頼性が確保されている場合が多いのに対し、通信ネットワークは、このような信頼性を有していない場合が多い。その一方で、サイネージ装置と放送装置を信頼性の高い専用線で接続しようとすれば、著しく設置コストが増大するという問題があった。
【０００８】
さらに、携帯端末装置において表示出力を行うための音声透かし放送システムに限らず、サイネージ装置等の情報提示装置を設置し、放送内容に関連する情報を提示することにより、施設利用者の利便性を向上させようとする場合にも同様の問題があった。
【０００９】
本発明は、上記の事情に鑑みてなされたものであり、放送システムの利便性又は信頼性を向上させることを目的とする。また、放送システムに適用される情報提示装置の利便性又は信頼性を向上させることを目的とする。
【課題を解決するための手段】
【００１０】
第１の本発明による放送システムは、放送内容に関連する情報の識別情報が重畳された放送信号をスピーカ線に出力する放送装置と、前記スピーカ線に接続され、前記放送信号に基づいて放音する１又は２以上のスピーカユニットと、前記スピーカ線に接続され、前記放送信号から前記識別情報を抽出し、抽出した識別情報に基づいて、前記スピーカユニットから放音された放送内容に関連する情報の提示を行う情報提示装置とを備える。
【００１１】
上記構成を採用することにより、放送信号に基づいて、スピーカユニットから放送音を出力するとともに、情報提示装置において放送内容に関連する情報を提示することができる。このため、スピーカユニット及び情報提示装置により、互いに関連する情報をそれぞれ報知することができる。
【００１２】
また、情報提示装置は、放送信号から前記識別情報を抽出し、抽出した識別情報に基づいて情報を提示する。このため、放送空間内の騒音環境による影響を受けることなく、スピーカユニットから放音された放送内容に関連する情報を提示することができる。
【００１３】
また、情報提示装置をスピーカ線に接続することにより、情報提示装置に対する情報伝送について高い信頼性を確保することができる。また情報提示装置のための専用配線を設ける場合に比べ、情報提示装置の設置コストを大幅に低減することができる。
【００１４】
また、スピーカユニットと情報提示装置が、同じスピーカ線に接続され、同じ放送信号に基づいて動作することにより、配線ミス等により、情報提示装置が放送内容と関連していない情報を提示するのを防止することができる。
【００１５】
第２の本発明による放送システムは、上記構成に加えて、更に、前記スピーカユニットからの出力音を収音した収音信号から前記識別情報を抽出し、抽出した前記識別情報に基づいて放送内容に関連する情報の提示を行う２以上の携帯端末装置を含み、前記携帯端末装置が、当該端末装置ごとに予め定められた属性情報を有し、前記識別情報を前記属性情報に応じた報知情報に対応づける変換テーブルを備え、当該変換テーブルを用いて、前記識別情報を前記報知情報に変換し、当該報知情報を提示し、前記情報提示装置が、前記識別情報を予め定められた２以上の報知情報に対応づける変換テーブルを備え、当該変換テーブルを用いて、前記識別情報を前記２以上の報知情報に変換し、当該報知情報を提示するように構成される。
【００１６】
このような構成により、各携帯端末装置では、その端末属性に応じた報知情報を提示することにより、各携帯端末装置の利用者に応じた情報提示を行うことができる一方、情報提示装置では、２以上の端末属性に応じた報知情報を提示することにより、任意の対象者に対する情報提示を行うことができる。
【００１７】
第３の本発明による放送システムは、上記構成に加えて、更に、前記スピーカユニットからの出力音を収音した収音信号から前記識別情報を抽出し、抽出した前記識別情報に基づいて放送内容に関連する情報の提示を行う２以上の携帯端末装置を含み、前記携帯端末装置が、前記識別情報を当該端末装置ごとに予め定められた１つの言語に応じた報知情報に対応づける変換テーブルを備え、当該変換テーブルを用いて、前記識別情報を前記報知情報に変換し、当該報知情報を提示し、前記情報提示装置が、前記識別情報を予め定められた２以上の言語に応じた報知情報に対応づける変換テーブルを備え、当該変換テーブルを用いて、前記識別情報を前記２以上の言語に応じた報知情報に変換し、当該報知情報を提示するように構成される。
【００１８】
このような構成により、各携帯端末装置では、その利用者が希望する言語に応じた報知情報を提示することにより、利用者に応じた情報提示を行うことができる一方、情報提示装置では、２以上の言語に応じた報知情報を提示することにより、任意の対象者に対する情報提示を行うことができる。
【００１９】
第４の本発明による放送システムは、上記構成に加えて、２以上の前記情報提示装置を備え、前記情報提示装置が、前記識別情報を設置場所に応じた報知情報に対応づける変換テーブルを保持し、前記変換テーブルを用いて、前記識別情報を報知情報に変換し、当該報知情報を提示するように構成される。
【００２０】
上記構成を採用することにより、情報提示装置が、その設置場所に応じた報知情報を提示することができる。例えば、災害警報を提示する場合において、設置場所に応じた避難経路を提示することができる。
【００２１】
第５の本発明による放送システムは、上記構成に加えて、前記携帯端末装置が、無線通信ネットワークを介して前記変換テーブルを取得し、前記携帯端末装置内に予め保持するように構成される。
【００２２】
上記構成を採用することにより、変換テーブルを容易に取得することができ、また、変換テーブルを予め取得して保持することにより、放送音の収音時における無線通信環境の影響を受けることなく、識別情報を報知情報に変換することができる。
【００２３】
第６の本発明による情報提示装置は、放送内容に関連する情報の識別情報が重畳された放送信号が流れる、複数のスピーカが接続されているスピーカ線に接続する接続手段と、前記接続により得られる放送信号から前記識別情報を抽出する抽出手段と、抽出した前記識別情報に基づいて、前記スピーカユニットから放音された放送内容に関連する情報の提示を行う提示手段とを備える。
【発明の効果】
【００２４】
本発明によれば、放送システムの利便性又は信頼性を向上させることができる。また、放送システムに適用される情報提示装置の利便性又は信頼性を向上させることができる。
【図面の簡単な説明】
【００２５】
【図１】本発明の実施の形態１による放送システムの一構成例を示した図である。
【図２】放送システム１００の設置例を模式的に示した図である。
【図３】スピーカ線３に対するスピーカユニット４及び情報提示装置６の接続方法の一例を示した図である。
【図４】変換テーブルＴｂの一例を示した図である。
【図５】図１の携帯端末装置５の一構成例を示したブロック図である。
【図６】携帯端末装置５の動作の一例を示したフローチャートである。
【図７】図１の情報提示装置６の一構成例を示したブロック図である。
【図８】情報提示装置６の動作の一例を示したフローチャートである。
【図９】本発明の実施の形態２による変換テーブルＴｂ１〜Ｔｂ３の一例を示した図である。
【発明を実施するための形態】
【００２６】
実施の形態１．
（１）放送システム１００の概略構成
図１は、本発明の実施の形態１による放送システムの一構成例を示した図である。この放送システム１００は、信号処理装置１、放送装置２、スピーカ線３、スピーカユニット４、携帯端末装置５、情報提示装置６及びデータサーバ７により構成される。
【００２７】
放送システム１００は、多数の施設利用者を有する施設に設置される構内放送システムであり、駅、空港などの公共施設、コンサートホール、学校、ビルなどの大規模施設、その他の施設に設置されている。このような放送システム１００を用いることにより、予め定められた施設内の放送空間に対し音響放送を行って、放送空間内の施設利用者に対し、知覚可能な放送音として各種情報を提供することができる。
【００２８】
また、放送システム１００では、音声透かしにより音響信号に識別情報を重畳した放送信号が生成され、携帯端末装置５において、識別情報に対応する報知情報が提示される。同様にして、放送空間内に設置された情報提示装置６においても、識別情報に対応する報知情報が提示される。さらに、携帯端末装置５では、予め定められた１つの言語で放送内容と関連する情報が提示されるのに対し、情報提示装置６では、２以上の言語で放送内容と関連する情報が提示される。
【００２９】
ここで、情報の提示とは、表示装置に視覚情報を表示すること、スピーカで聴覚情報を出力すること、触覚デバイスにより、振動、温度、湿度の変化を出力すること、嗅覚デバイスにより、匂い物質を放出すること等が含まれる。また、放送内容とは、音響信号の内容を指すものである。
【００３０】
音響信号の内容とは、例えば、アナウンス、特定の意味を持つサイン音、特定の状態を表す音楽等が該当する。
【００３１】
放送内容に関連する情報として、例えば、放送内容が、火事であることを伝える放送の場合、１）火災マークの表示、２）英語、中国語等の外国語で火事であることを伝える文字情報の表示、３）外国語の音声で火事であることを伝える音声、４）火事の時に熱くなる触覚デバイスを熱くする、５）火事の時に嗅覚デバイスから焦げたような臭いを放出する、等が該当する。
【００３２】
Ａ）信号処理装置１
信号処理装置１は、音声透かしにより音響信号に識別情報を重畳し、放送信号を生成する装置である。音響信号及び識別信号は、図示しない外部装置で生成され、信号処理装置１へ入力される。また、生成された放送信号は、放送装置２へ出力される。
【００３３】
音響信号は、ＣＤなどの音楽記録媒体から再生されたＢＧＭや、マイク入力された音声メッセージなどを含む音響情報を示す信号であり、例えば、音響情報を時間軸上における音圧変化として示す可聴周波数帯域の信号が用いられる。
【００３４】
識別情報は、報知情報に対応づけられた情報である。また、報知情報は、放送内容に関連するように予め定められた情報であり、当該報知情報が放送内容と関連するように、識別情報は音響信号に重畳される。報知情報は、文字又は画像からなる情報であり、火災、地震、台風、津波等の災害警報、列車や航空機の運行情報などの施設運営者が施設利用者に報知する各種情報である。携帯端末装置５及び情報提示装置６において表示出力される報知情報は、各装置が保持する変換テーブルを構成する２以上の報知情報の中から、識別情報に基づいて選択される。
【００３５】
音声透かしは、人の聴覚特性を利用して、音響信号に対し、人が知覚できないように情報を埋め込む周知の技術であり、エコーハイディング法、エコー拡散法、スペクトル拡散法、周期的位相変調法などが知られている。このような音声透かしによって生成された放送信号は、可聴周波数帯域の信号であり、スピーカユニット４が放音した場合に、聴者は、音響情報を知覚することができるが、識別情報を知覚することができない信号である。なお、放送信号は、識別情報が重畳されていること自体が知覚されにくい信号であることが望ましい。
【００３６】
Ｂ）放送装置２
放送装置２は、信号処理装置１から入力される放送信号を増幅し、スピーカ線３へ出力する装置である。なお、信号処理装置１及び放送装置２を一体化し、放送装置２が信号処理装置１の機能を内蔵するように構成することもできる。
【００３７】
Ｃ）スピーカ線３
スピーカ線３は、放送装置２からスピーカユニット４へ放送信号を伝送するための伝送線であり、対象施設内に敷設されている。スピーカ線３には、１つの放送装置２が接続されるとともに、１又は２以上のスピーカユニット４が接続される。さらに、スピーカ線３には、１又は２以上の情報提示装置６が接続される。
【００３８】
スピーカ線３には、耐火性ケーブルを用いることが望ましい。耐火性ケーブルは、信号線が耐火層で覆われているため、火災発生時であっても絶縁性を確保することができる。放送システムは、災害発生時の非常放送にも用いられるため、火災発生時であっても機能する耐火性ケーブルが用いられている場合が多く、高い信頼性が確保されている。スピーカユニット４だけでなく情報提示装置６もスピーカ線３に接続することにより、情報提示装置６の表示出力についても、スピーカユニット４の放送音出力と同様の高い信頼性を確保することができる。
【００３９】
Ｄ）スピーカユニット４
スピーカユニット４は、スピーカ線３を介して、放送装置２から放送信号が入力され、放送音として放送空間に出力する。つまり、電気信号として入力された放送信号を音波に変換し、放送音として放送空間に放音する。スピーカユニット４は、例えば、放送空間の天井や壁に取り付けられる。また、放送空間内の任意の場所で放送音を聞き取ることができるように、放送空間の広さ、形状、騒音環境等に応じて、１又は２以上のスピーカユニット４が設置される。
【００４０】
Ｅ）携帯端末装置５
携帯端末装置５は、施設利用者が所有する携帯可能な小型端末であり、例えば、携帯電話機、スマートフォンなどが用いられる。携帯端末装置５は、マイクロフォンを有し、スピーカユニット４からの放送音を収音し、収音信号から識別情報を抽出することができる。抽出した識別情報は、変換テーブルを用いて報知情報に変換され、携帯端末装置５の表示部に表示される。
【００４１】
変換テーブルは、通信ネットワークＮを介して、データサーバ７から取得し、携帯端末装置５内に予め保持されている。携帯端末装置５は、無線通信機能を有し、アクセスポイントＡＰとの無線回線を介して、通信ネットワークＮに接続することができる。このため、通信ネットワークＮを介して、データサーバ７から変換テーブルを取得することができる。
【００４２】
Ｆ）情報提示装置６
情報提示装置６は、放送空間内から視認可能に設置される表示装置であり、例えば、放送空間の天井や壁に取り付けられ、あるいは、床上に立設され、多数の施設利用者に対する表示出力を行う。また、放送空間内のより多くの場所から利用できるように、放送空間の広さ、形状等に応じて、１又は２以上の情報提示装置６が設置される。情報提示装置６として、例えば、デジタルサイネージ装置を用いることができる。デジタルサイネージ装置は、携帯端末装置５よりも大型の表示装置、例えばＬＥＤパネル、有機ＥＬパネルを備え、離れた場所からも視認可能な電子掲示板である。なお、非常時に商用電源からの電力供給が停止した場合、非常用電源から電力供給を受けることで、所定時間、例えば３０分間は稼働することができる。
【００４３】
情報提示装置６は、スピーカ線３に接続され、スピーカユニット４を介在することなく、スピーカ線３上の放送信号を受信し、この受信信号から識別情報を抽出することができる。抽出した識別情報は、変換テーブルを用いて報知情報に変換され、情報提示装置６の表示部に表示される。変換テーブルは、通信ネットワークＮを介して、データサーバ７から取得し、情報提示装置６内に予め保持されている。
【００４４】
Ｇ）データサーバ７
データサーバ７は、ＬＡＮ、インターネットなどの通信ネットワークＮに接続されたデータサーバであり、携帯端末装置５及び情報提示装置６からのデータ取得要求に基づいて、変換テーブルを提供する。
【００４５】
（２）放送システム１００の設置例
図２は、放送システム１００の設置例を模式的に示した図である。放送空間Ｒは、天井にスピーカユニット４ａ，４ｂ、壁面にスピーカユニット４ｃがそれぞれ設置され、３つのスピーカユニット４ａ〜４ｃにより、放送空間Ｒ内の任意の位置において放送音を聴取することができるように構成されている。また、放送空間Ｒの左側の壁面に情報提示装置６ａが設置され、右側の床上に情報提示装置６ｂが立設されている。放送空間Ｒ内には、多数の施設利用者が存在し、一部の施設利用者を除き、携帯端末装置５をそれぞれ携行している。
【００４６】
（３）スピーカ線３との接続方法
図３は、スピーカ線３に対するスピーカユニット４及び情報提示装置６の接続方法の一例を示した図であり、スピーカ線３として、ハイインピーダンス伝送路を採用する場合の例が示されている。
【００４７】
ハイインピーダンス伝送路は、放送装置２、スピーカユニット４及び情報提示装置６をハイインピーダンス接続する伝送路であり、信号を高電圧化して伝送するため、ローインピーダンス接続する伝送路に比べて、放送信号を伝送する際の電力損失が少なく、配線長を長くすることができる。また、より多くのスピーカユニット４及び情報提示装置６を接続することができる。このため、スピーカ線３には、ハイインピーダンス伝送路を用いることが望ましい。
【００４８】
スピーカ線３は、正相（ＨＯＴ）及び逆相（ＣＯＬＤ）の信号線３ａ，３ｂにより構成される。放送信号は、例えば１００Ｖの放送信号として放送装置２によって供給され、インピーダンスマッチングのためのトランスを介して低電圧化した後に利用される。
【００４９】
スピーカユニット４は、トランス４０、増幅回路４１及びスピーカ４２によって構成される。トランス４０は、スピーカ線３に接続され、放送信号を低電圧化する。低電圧化された放送信号は、増幅回路４１で増幅された後、スピーカ４２で音波に変換され、放送音として放送空間Ｒへ出力される。
【００５０】
情報提示装置６は、接続アダプタ６０を介して、スピーカ線３に接続される。接続アダプタ６０は、トランス６０１及び可変抵抗器６０２により構成され、トランス６０１で低電圧化され、可変抵抗器６０２で音量調節された放送信号は、情報提示装置のマイク入力端子に入力される。
【００５１】
（４）変換テーブルＴｂ
図４は、変換テーブルＴｂの一例を示した図である。変換テーブルＴｂは、携帯端末装置５及び情報提示装置６が、識別情報を報知情報に変換するために使用するデータテーブルである。
【００５２】
例えば、識別情報「０００１」は、報知情報「津波が来ます。西山の避難所に逃げてください。」に対応づけられ、識別情報「０００２」は、「ミサイルが発射されました。付近の上空を通過する予定です。焦らずに待機してください。」に対応づけられている。このため、携帯端末装置５及び情報提示装置６は、識別情報「０００１」を取得した場合、表示画面に報知情報「津波が来ます。西山の避難所に逃げてください。」を表示する。
【００５３】
図示した変換テーブルＴｂは、識別情報が４桁の数字で構成され、報知情報が日本語のメッセージで構成されている。同様にして、他の言語の変換テーブルＴｂ、つまり、報知情報が同じ内容の他の言語のメッセージで構成される変換テーブルＴｂを用いることもできる。この放送システム１００では、言語が異なる２以上の変換テーブルＴｂ、例えば、日本語、英語、中国語、韓国語、フランス語、イタリア語、スペイン語の各変換テーブルＴｂを用いることができる。
【００５４】
特定の利用者を対象とする携帯端末装置５では、当該利用者が使用する言語に応じた変換テーブルが用いられる。つまり、言語が異なる多数の変換テーブルＴｂの中から、いずれか一つが選択的に用いられ、利用者に応じた言語で報知情報が表示される。これに対し、多数の施設利用者を対象とする情報提示装置６では、言語が異なる多数の変換テーブルＴｂの中から、予め定められた２以上の言語の変換テーブルＴｂが選択的に用いられる。例えば、利用者が比較的多いと考えられる日本語、英語及び中国語の変換テーブルＴｂが用いられ、これらの３言語の各報知情報が同時又は順次に表示される。
【００５５】
変換テーブルＴｂは、通信ネットワークＮを介して、データサーバ７から予めダウンロードされる。携帯端末装置５は、無線回線を介して、変換テーブルＴｂを取得し、携帯端末装置５内に保持している。同様にして、情報提示装置６も、無線通信又は有線回線を介して、変換テーブルＴｂを取得し、情報提示装置６内に保持している。
【００５６】
携帯端末装置５は、指定された言語の変換テーブルＴｂのみをダウンロードし、あるいは、全ての変換テーブルＴｂをダウンロードした後、指定された言語の変換テーブルＴｂのみを選択的に使用するように構成される。言語の指定は、ユーザ操作によって行われ、あるいは、携帯端末装置５の端末属性に基づいて行われる。一般に、携帯端末装置５は、初期設定時に使用言語が指定され、端末属性として保持している。このような端末属性に基づいて、使用する変換テーブルＴｂを自動的に決定することができる。
【００５７】
なお、情報提示装置６及び携帯端末装置５は、異なる変換テーブルＴｂを用いるように構成することもできる。例えば、情報提示装置６は、携帯端末装置５よりも簡略化したメッセージを表示するように構成することもできる。
【００５８】
（５）携帯端末装置５の構成及び動作
図５は、図１の携帯端末装置５の一構成例を示したブロック図である。携帯端末装置５は、端末属性記憶部５０、マイク５１、識別情報抽出部５２、識別情報記憶部５３、テーブル取得部５４、テーブル記憶部５５、変換部５６及び表示部５７を備える。
【００５９】
端末属性記憶部５０は、携帯端末装置５の属性情報を保持する記憶手段であり、属性情報の一つとして、当該携帯端末装置５において使用する言語を保持している。使用言語は、例えば、初期設定時に利用者によって指定され、端末属性記憶部５０内に保持されている。
【００６０】
マイク５１は、音圧を電気信号に変換する収音手段であり、放送音、つまり、スピーカユニット４からの出力音を収音し、収音信号を生成する。生成した収音信号は、識別情報抽出部５２へ出力される。
【００６１】
識別情報抽出部５２は、収音信号から識別情報を抽出する信号処理手段である。識別情報の抽出に成功すれば、抽出された識別情報が出力される。例えば、音声透かしとして、拡散エコー法を用いる場合であれば、ケプストラム変換及びカーネル相関の各処理により、識別情報が抽出される。具体的には、収音信号を短いタイムスロットに分割し、ＦＦＴ（高速フーリエ変換）処理、対数変換及びＩＦＦＴ（逆高速フーリエ変換）を行って、当該タイムスロットのケプストラムが求められる。さらに、当該ケプストラムについて、予め与えられている２つのカーネル情報との相関を求めることにより、当該タイムスロットに重畳されたビット情報を判別する。このような判別処理をビット数分だけ繰り返すことにより、所望のビット数からなる識別情報が抽出される。
【００６２】
識別情報記憶部５３は、識別情報を記憶する記憶手段である。識別情報抽出部５２において、新たな識別情報が抽出された場合、識別情報記憶部５３は、古い識別情報を上書きして更新し、最後に取得した識別情報を保持する。
【００６３】
テーブル取得部５４は、データサーバ７から変換テーブルＴｂを取得する手段である。例えば、無線回線を介して通信ネットワークＮに接続され、データサーバ７へ要求パケットを送信することにより、変換テーブルＴｂを取得する。要求パケットには、言語の指定が含まれ、データサーバ７から当該言語の変換テーブルを取得する。言語の指定は、端末属性記憶部５０が保持する言語情報に基づいて行われる。
【００６４】
テーブル記憶部５５は、テーブル取得部５４が取得した変換テーブルＴｂを保持する記憶手段である。
【００６５】
変換部５６は、変換テーブルＴｂを用いて、識別情報を報知情報に変換する処理部である。識別情報は、識別情報記憶部５３から読み出され、変換テーブルＴｂは、テーブル記憶部５５から読み出される。
【００６６】
表示部５７は、変換部５６により生成された報知情報を表示する表示手段であり、液晶パネルや有機ＥＬパネルが用いられる。
【００６７】
図６のステップＳ１０１〜Ｓ１０４は、携帯端末装置５の動作の一例を示したフローチャートである。
【００６８】
マイク５１は、スピーカユニット４から出力される放送音を収音し、収音信号を生成する（ステップＳ１０１）。識別情報抽出部５２は、この収音信号から識別情報を抽出する（ステップＳ１０２）。識別情報の抽出に成功すれば、変換部５６が、変換テーブルＴｂを用いて、識別情報を報知情報に変換する（ステップＳ１０３）。このようにして得られた報知情報が表示部５７によって表示出力される（ステップＳ１０４）。
【００６９】
（６）情報提示装置６の構成及び動作
図７は、図１の情報提示装置６の一構成例を示したブロック図である。情報提示装置６は、信号受信部６１、識別情報抽出部６２、識別情報記憶部６３、テーブル取得部６４、テーブル記憶部６５、変換部６６及び表示部６７を備える。
【００７０】
信号受信部６１は、接続アダプタ６０を介して、スピーカ線３に接続され、スピーカ線３上の放送信号を受信する。
【００７１】
識別情報抽出部６２は、信号受信部６１の受信信号から識別情報を抽出する信号処理手段である。識別情報の抽出に成功すれば、識別情報が出力される。識別情報抽出部６２における処理は、携帯端末装置５の識別情報抽出部５２における処理と同一である。
【００７２】
識別情報記憶部６３は、識別情報を記憶する記憶手段である。識別情報抽出部６２において、新たな識別情報が抽出された場合、識別情報記憶部６３は、古い識別情報を上書きして更新し、最後に取得した識別情報を保持している。
【００７３】
テーブル取得部６４は、データサーバ７から変換テーブルＴｂを取得する手段である。例えば、無線回線又は有線回線を介して通信ネットワークＮに接続され、データサーバ７へ要求パケットを送信することにより、変換テーブルＴｂを取得する。要求パケットには、言語の指定が含まれ、データサーバ７から当該言語の変換テーブルを取得する。テーブル取得部６４は、予め定められた２以上の言語を指定し、各言語に対応する２以上の変換テーブルＴｂを取得する。
【００７４】
テーブル記憶部６５は、テーブル取得部６４が取得した変換テーブルＴｂを保持する記憶手段である。テーブル記憶部６５には、言語の異なる２以上の変換テーブルＴｂが保持されている。これらの変換テーブルＴｂは、識別情報が共通であり、報知情報の言語が異なっているため、識別情報を２以上の言語の報知情報に対応づけた変換テーブルと等価である。
【００７５】
変換部６６は、変換テーブルＴｂを用いて、識別情報を報知情報に変換する処理部であり、２以上の変換テーブルＴｂを用いて、１つの識別情報から言語が異なる２以上の報知情報を生成する。識別情報は、識別情報記憶部６３から読み出され、２以上の変換テーブルＴｂは、テーブル記憶部６５から読み出される。
【００７６】
表示部６７は、変換部６６により生成された報知情報を表示する表示手段であり、液晶パネルや有機ＥＬパネルが用いられる。なお、言語が異なる２以上の報知情報は、同時に表示され、あるいは、順次に表示される。
【００７７】
図８のステップＳ２０１〜Ｓ２０４は、情報提示装置６の動作の一例を示したフローチャートである。
【００７８】
信号受信部６１は、スピーカ線３上の放送信号を受信し、受信信号を生成する（ステップＳ２０１）。識別情報抽出部６２は、この収音信号から識別情報を抽出する（ステップＳ２０２）。識別情報の抽出に成功すれば、変換部６６が、２以上の変換テーブルＴｂを用いて、識別情報を２以上の報知情報に変換する（ステップＳ２０３）。このようにして得られた２以上の報知情報が表示部６７によって表示出力される（ステップＳ２０４）。
【００７９】
（７）効果
本実施の形態による放送システム１００では、信号処理装置１が、音声透かしにより音響信号に識別情報を重畳した放送信号を生成し、放送装置２が、当該放送信号をスピーカ線３に出力し、各携帯端末装置５及び情報提示装置６が、当該放送信号に基づいて表示出力を行う。つまり、同じ放送信号に基づいて、各携帯端末装置５では、特定の端末利用者に対し、視認性、利便性の高い情報提示を行う一方、情報提示装置６では、放送空間内の任意の施設利用者に対し、広く情報提示を行うことができる。
【００８０】
このため、放送システム１００の利便性を向上させることができる。例えば、携帯端末装置５を携行しない施設利用者や、携帯端末装置５が正常に動作しない端末利用者に対しても情報提示を行うことができる。また、携帯端末装置５では、利用者の使用言語で情報を提示する一方、情報提示装置６では、２以上の言語で情報を提示することにより、さらに利便性を向上させることができる。
【００８１】
また、本実施の形態による放送システム１００では、携帯端末装置５が、スピーカユニット４が出力する放送音を収音した収音信号から識別情報を抽出するのに対し、情報提示装置６は、スピーカユニット４を介在させることなく、スピーカ線３上の放送信号から識別情報を抽出する。このため、情報提示装置６は、放送空間Ｒ内の騒音環境による影響を受けることなく、識別情報を確実に取得することができる。従って、騒音環境下では、情報提示装置６により携帯端末装置５を補完することができ、放送システム１００の信頼性を向上させることができる。
【００８２】
また、本実施の形態による放送システム１００では、情報提示装置６がスピーカ線３に接続され、スピーカ線３を介して放送装置２から識別情報を取得する。非常放送にも用いられる放送システムは一般に高い信頼性を有するため、スピーカ線３を介して識別情報を取得することにより、情報提示装置６の信頼性を向上させることができる。例えば、ＬＡＮやインターネットなどの一般的な通信ネットワークを介して識別情報を取得する場合に比べ、停電などの非常時における情報提示装置６の信頼性を放送システムの信頼性と同程度まで向上させることができる。特に、スピーカ線３に耐火性ケーブルが用いられている場合、火災発生時にも情報提示装置６の機能も維持することができる。しかも、情報提示装置６のために専用線を敷設する場合に比べ、情報提示装置６の設置コストを大幅に低減することができる。
【００８３】
また、本実施の形態による放送システム１００では、同じ放送空間Ｒをカバーするスピーカユニット４及び情報提示装置６が、同じスピーカ線３に接続され、携帯端末装置５及び情報提示装置６が、同じ放送信号に基づいて表示出力を行う。このため、配線ミス等により、各携帯端末装置５と情報提示装置６が、互いに整合しない表示出力を行うのを防止することができる。
【００８４】
また、本実施の形態による放送システム１００では、携帯端末装置５は、１つの言語が属性情報として予め指定され、当該言語に応じた変換テーブルＴｂを用いて、識別情報を当該言語の報知情報に変換し、表示出力する。このため、各携帯端末装置５では、その利用者が希望する言語で情報提示を行うことができる。一方、情報提示装置６は、予め定められた２以上の言語に応じた変換テーブルＴｂを用いて、識別情報を２以上の言語の各報知情報に変換し、それぞれを表示出力する。このため、情報提示装置６では、２以上の言語に応じた報知情報を表示し、任意の対象者に対する情報提示を行うことができる。
【００８５】
また、本実施の形態による放送システム１００では、各携帯端末装置５及び情報提示装置６が、それぞれ通信ネットワークＮを介して変換テーブルＴｂを取得し、各装置内に予め保持している。このため、通信ネットワークを介して変換テーブルＴｂを取得することにより、容易に取得することができる。また、変換テーブルＴｂを予め取得して保持することにより、通信環境の影響を受けることなく表示出力を行うことができるとともに、識別情報の情報量を低減することができる。
【００８６】
実施の形態２．
上記実施の形態では、携帯端末装置５及び情報提示装置６が同じ変換テーブルＴｂを使用する場合の例について説明した。これに対し、本実施の形態では、情報提示装置６が携帯端末装置５とは異なる変換テーブルＴｂを用いる例について説明する。また、２以上の情報表示端末６が互いに異なる変換テーブルＴｂを使用する例について説明する。
【００８７】
図９は、本発明の実施の形態２による変換テーブルＴｂ１〜Ｔｂ３の一例を示した図である。図９（ａ）には、各携帯端末装置５が使用する変換テーブルＴｂ１が示され、図９（ｂ）には、情報提示装置６ａが使用する変換テーブルＴｂ２が示され、図９（ｃ）には、情報提示装置６ｂが使用する変換テーブルＴｂ３が示されている。
【００８８】
図中の（ａ）〜（ｃ）は、識別情報０００１に対応づけられた報知情報に含まれる避難経路の情報が異なっている。変換テーブルＴｂ１には、「最寄りの出口を通って」という避難経路に関する一般的、抽象的な情報が含まれるのに対し、変換テーブルＴｂ２には、「第１出口を通って」という避難経路に関する個別的、具体的な情報が含まれ、変換テーブルＴｂ３には、「第２出口を通って」という避難経路に関する個別的、具体的な情報が含まれている。
【００８９】
変換テーブルＴｂ２，Ｔｂ３は、情報提示装置６ａ，６ｂ用の変換テーブルであり、それぞれの設置場所に応じた個別具体的な避難経路の情報が含まれている。これに対し、各携帯端末装置５用の変換テーブルＴｂ１は、その位置が特定されないため、個別具体的な避難経路の情報が含まれていない。
【００９０】
本実施の形態による放送システムでは、情報提示装置６が携帯端末装置５とは異なる変換テーブルＴｂ２，Ｔｂ３を用いることにより、利便性を向上させることができる。また、２以上の情報提示装置を設置する場合、互いに異なる変換テーブルＴｂ２，Ｔｂ３を用いることにより、それらの設置場所に応じた情報提示を行うことができ、さらに利便性を向上させることができる。特に、報知情報が災害警報である場合に好適である。
【符号の説明】
【００９１】
１          信号処理装置
２          放送装置
３          スピーカ線
４，４ａ〜４ｃ  スピーカユニット
５          携帯端末装置
５０        端末属性記憶部
５１        マイク
５２        識別情報抽出部
５３        識別情報記憶部
５４        テーブル取得部
５５        テーブル記憶部
５６        変換部
５７        表示部
６，６ａ〜６ｂ  情報提示装置
６０        接続アダプタ
６０１      トランス
６０２      可変抵抗器
６１        信号受信部
６２        識別情報抽出部
６３        識別情報記憶部
６４        テーブル取得部
６５        テーブル記憶部
６６        変換部
６７        表示部
７          データサーバ
１００      放送システム
Ｎ          通信ネットワーク
Ｒ          放送空間
Ｔｂ，Ｔｂ１〜Ｔｂ３  変換テーブル
【図１】
2020053945.tif 000003
【図２】
2020053945.tif 000004
【図３】
2020053945.tif 000005
【図４】
2020053945.tif 000006
【図５】
2020053945.tif 000007
【図６】
2020053945.tif 000008
【図７】
2020053945.tif 000009
【図８】
2020053945.tif 000010
【図９】
2020053945.tif 000011